(57)【特許請求の範囲】
【請求項１】
連続する所定の周波数帯域において一定周期で周波数が繰り返し掃引された電磁波を発信する送信手段と、前記送信手段から発信された電磁波を受信する受信手段と、識別対象となる物体に取付けられ、前記送信手段から発信される電磁波の掃引される前記所定の周波数帯域内の、異なる複数の周波数において共振する共振手段と、前記物体が、前記送信手段および前記受信手段の間の所定の領域内に存在するときに、前記共振手段の複数の共振周波数における、前記受信手段の受信信号の変化を検出することにより、前記物体の通過を識別する識別手段とを備え、
前記識別手段は、前記受信手段が受信した信号のうち所定の周波数帯域内の信号のみを通過させるフィルタと、前記フィルタを通過した信号について、設定されたしきい値との大小関係を判別することにより、所定の数値を時系列的にデコードするデコード値出力手段と、前記デコード値出力手段によりデコードされた数値の時系列的配列が、前記物体が前記所定の領域内に存在するときのデコード値の時系列的配列と一致するか否かを判別する判別手段とを含み、
前記デコード値出力手段が、送信機によって送信される電磁波の周波数の掃引方向および設定された前記しきい値の正負に応じて、所定の重み付けを行なって数値をデコードする手段を含む、物体識別装置。
【請求項２】
前記判別手段が、送信機によって送信される電磁波の周波数掃引の複数の周期についての、前記デコード値出力手段によってデコードされる数値の時系列的配列のうちの、所定の割合以上の数の周期において、前記物体が前記所定の領域内に存在するときのデコード値の時系列的配列と一致することを検出したときに、前記物体が前記所定の領域内に存在すると判別する手段を含む、請求項１に記載の物体識別装置。
【発明の詳細な説明】
【０００１】
【発明の属する技術分野】
この発明は、物体識別装置に関し、特に、特定の物体に共振回路を含む共振タグを取り付けて、その共振回路に同調して誘起される信号波を受信することにより、その物体が所定区域内を通過したことを自動的に検出する物体識別装置に関するものである。
【０００２】
【従来の技術】
小売店における商品の盗難等を防止する目的で、所定区域において、連続する所定の周波数帯域において一定周期で繰り返し周波数が掃引された電磁波を発信する発信装置と、その電磁波を受信する受信装置とを備え、その周波数帯域内の所定周波数において共振する共振回路を含む共振タグを商品等に取り付けて、その商品がその区域内を通過したときの受信装置が受信する信号の変化を検出するとともに警報を発する物体識別装置が、種々開発されている。
【０００３】
この種の物体識別装置においては、識別すべき物体が通過したときのみに確実に検出動作を行なうとともに、当該物体が通過したとき以外においては誤って動作することがないこと、すなわち、当該物体が通過したときに生じる電磁波の変化のみを精度良く検出して、当該物体が通過したときと類似のノイズ信号を拾って誤動作することがないことが要求されるため、ノイズの影響を極力抑制するための工夫が施されている。
【０００４】
この種の従来の物体識別装置として、たとえば特公昭５５−４２７５号公報に記載のものが挙げられる。この公報に記載の装置は、受信コイルを２分割して外部雑音を打消し合うように構成し、送信コイルから受信コイルに誘起する電流を、送信コイル電流の同相成分およびπ／２位相の異なる成分とで比較して自動的に消去し、識別対象となる物体に取付けた共振回路からの応答電流のみを取出して物体の識別を行なうようにしたものである。
【０００５】
従来の物体識別装置の他の例として、特開平７−２４９１８１号公報に記載のものがある。同公報に記載された装置は、図１０および図１１に基づいて、次のように説明される。
【０００６】
この従来の物体識別装置は、図１０（ａ）〜（ｃ）に示すように、高周波発信装置（ＯＳＣ）５２から出力される低周波５３ａによってＦＭ変調された、たとえば７ＭＨｚから９ＭＨｚの高周波５４ａを増幅器５５によって電力増幅し、送信部アンテナ６０より受信部アンテナ７０に向かって電磁波を送信する。
【０００７】
受信部６１は、送信部アンテナ６０から送信された電磁波を受信部アンテナ７０で受信し、同調６３により、たとえば７ＭＨｚから９ＭＨｚの目的の周波数の高周波５４ａを取出し、図１１（ｂ）に示すように、一方はＦＭ復調６４で復調した低周波発信５３ａ波形に同期した波形を波形成形６７し、同期波形６７ａを得る。他方はＡＭ復調６５して電磁波の強さの変化をレベル検出６６で監視し、任意の予め決めた強さのレベルを越えたものを「信号あり」、指定のレベルを越えないものを「信号なし」として信号波形６８ａを得る。また、演算装置６９のサンプリングタイミングを上記同期波形６７ａに同期させ、その同期波形６７ａの一周期の期間に対応する信号波形６８ａを上記サンプリングタイミング毎に監視することで、演算装置６９内に一周期分の２値の周波数分布として記憶装置６９Ｍ内に記憶する。この操作を繰り返し行ない、多数の２値の周波数分布の情報を多量化して、周波数スペクトル分布を生成し、演算処理を可能にするものである。
【０００８】
検体としての検出板５６は、上記装置において送受信される周波数の範囲で同調する、図１１（ａ）に示す共振回路を、商品などに付着させる。また、この装置は、検体の通過を感知する通過センサー８０とその検出部８１、および、演算装置６９による演算結果に基づいて出力する出力装置７１を有している。
【０００９】
上述した従来技術のいずれも、識別すべき物体に取り付けられる共振回路として、図１１（ａ）に示す等価回路のような単共振回路を採用している。このような単共振回路が物体識別装置の所定の検出領域内に存在するときの、受信機による信号処理は、図１２のタイムチャートにより次のように説明される。受信機で受信された信号は、所定のフィルタを通過するとともに増幅されて、図１２の（ａ）に示す所望の信号スペクトルの高周波成分のみが信号処理のための回路に入力される。
【００１０】
図１２のタイムチャートの信号（ａ）は、単共振タグの１つの共振点ｆ１（ｆｍｉｎ  ＜ｆ１＜ｆｍａｘ  ）の近傍で、単共振タグが存在するために変動が生じている様子を示している。この信号（ａ）が所定の正負のしきい値ｔｈ１，ｔｈ２を越えたときに、図１２の（ｃ）（ｄ）に示すように正のパルス状矩形波が出力され、それによって単共振タグを取付けた物体の通過が検出される。図１２の（ｂ）は、物体識別装置の送信機側から送信される発信信号の１周期（ｆｍａｘ  →ｆｍｉｎ  →ｆｍａｘ  ）の周波数掃引を示している。
【００１１】
【発明が解決しようとする課題】
しかしながら、上記２件の公報に記載の従来技術はいずれも、識別対象となる物体に取付ける共振回路が、単一の周波数においてのみ共振する単共振回路であるために、次のような問題があった。
【００１２】
まず、識別対象の物体の通過の有無を検出するための受信信号は、一般に、所定のバンドパスフィルタを経た広帯域の信号として演算処理手段に入力され、信号処理がされるため、その広帯域の周波数帯にあるノイズは、無条件で入力されてしまう。たとえば掃引周波数に近い繰り返し周期を持つ高周波ノイズが受信されると、識別対象の物体が通過したものと判別されてしまうおそれがあり、比較的誤動作が生じやすい。
【００１３】
また、物体識別装置のアンテナ付近に、識別対象の物体に取付けた共振回路と類似の共振特性を有する物体が存在すると、やはり、識別すべき物体が通過していないのにもかかわらず警報を発するという誤動作を生じてしまう。たとえば金属枠を持つスライドドアや、コイル状に巻いた銅線などは、商品等に取付ける共振タグと類似の共振周波数を有する場合があり、そのような誤動作の原因となりやすい。
【００１４】
このように、掃引周波数内の単一の共振周波数を有する共振タグを用いて物体の通過を検出する従来の物体識別装置では、当該共振タグの共振周波数に近似する周波数のノイズや、当該共振タグと類似の共振特性を有する物体が存在した場合の誤動作を本質的に防止し得ず、そのような誤動作は無視し得ない度合いで生じるため、物体識別装置としての信頼性に欠けるという問題があった。
【００１５】
上記従来の問題点を解消するため、本発明は、ノイズによる誤動作の発生の防止を図った信頼性の高い物体識別装置を提供することを目的とする。
【００１６】
【課題を解決するための手段】
上記目的を達成する本発明の物体認識装置は、連続する所定の周波数帯域において一定周期で繰り返し周波数が掃引された電磁波を発信する送信手段と、この送信手段から発信された電磁波を受信する受信手段と、識別対象となる物体に取付けられ、送信手段から発信される電磁波の掃引される上記所定の周波数帯域内の、異なる複数の周波数において共振する共振手段と、物体が送信手段および受信手段の間の所定の領域内に存在するときに、共振手段の複数の共振周波数における、受信手段の受信信号の変化を検出することにより、物体の通過を識別する識別手段とを備えたものである。
【００１７】
このような構成を有することにより本発明によれば、異なる複数の周波数において共振する共振手段を用いるため、次の理由によって、上記従来例において問題となっていた誤動作を本質的に防止できる。まず、上記従来例のように単共振回路を用いた場合において、その共振周波数に近似するノイズあるいはその共振回路と類似の共振特性を有する物体が偶然に存在することは、無視し得ない程度の確率で生じ、上記従来例の装置ではその確率がそのまま誤動作を生じる度合いに結びつくものである。しかしながら、複数の異なる共振周波数に近似する周波数のノイズや、複数の異なる共振周波数に近似する共振点を同時に有する物体が物体識別装置の近辺に存在する確率は極めて低くなる。
【００１８】
よって、上記本願発明の装置のように、複数の異なる共振周波数を有する共振タグを識別対象となる物体に取付けて、当該すべての異なる共振周波数での共振を検出して初めて当該物体が通過したと判断することにより、上記従来例において生じた誤動作を、本質的に防止することができる。
【００１９】
また、誤動作のない信頼性の高い物体識別装置を実現できることにより、誤動作が生じたときのメンテナンスを見込んだ価格を設定する必要がなくなるため、装置の販売価格を大幅に低減することができる。
【００２０】
本発明の上記物体識別装置の識別手段は、受信手段が受信した信号のうち所定の周波数帯域内の信号のみを通過させるフィルタと、このフィルタを通過した信号について、設定されたしきい値との大小関係を判別することにより、所定の数値を時系列的にデコードするデコード値出力手段と、デコード値出力手段によりデコードされた数値の時系列的配列が、物体が所定の領域内に存在するときのデコード値の時系列的配列と一致するか否かを判別する判別手段とを含む。
【００２１】
また、本発明の上記デコード値出力手段は、送信機によって送信される電磁波の周波数の掃引方向および設定されたしきい値の正負に応じて、所定の重み付けを行なって数値をデコードする手段を含む。
【００２２】
このように、デコード値の出力に際して所定の重み付けを行なうことにより、複数の共振周波数を有する共振タグを用いたときの信号波形の複雑な特徴に応じたデコード値の時系列的配列を得やすくなり、ノイズ等の影響による信号波形との識別をより確実に行なうことを可能にする。
【００２３】
上記判別手段は、送信機によって送信される電磁波の周波数掃引の複数の周期についての、前記デコード値出力手段によってデコードされる数値の時系列的配列のうちの、所定の割合以上の数の周期において、前記物体が前記所定の領域内に存在するときのデコード値の時系列的配列と一致することを検出したときに、前記物体が前記所定の領域内に存在すると判別する判別手段を含むようにしてもよい。このような判別手段を含むことにより、ノイズの影響によって、デコード値出力手段から出力されるデコード値の時系列配列にエラーが生じたとしても、判別手段が誤動作することが防止され、識別手段の信頼性が向上する。
【００２４】
【発明の実施の形態】
以下、本発明の一実施の形態について、図１ないし図９に基づいて説明する。図１には、本発明の一実施の形態の物体識別装置の概略構成が示されている。図１に示す本実施の形態の物体識別装置は、高周波の電磁波を周波数掃引して発振し送信する送信機１と、この送信機１から送信された電磁波を受信して、所定の信号処理および演算を行なうことにより物体を識別する受信機２と、識別対象となる物体に取付けられ、送信機１が送信する送信周波数の範囲内の２つの周波数において共振する共振回路を有する２共振タグ３とを備えている。送信機１には送信用アンテナ１０が設けられ、受信部２には受信用アンテナ２０が設けられている。送信用アンテナ１０、受信用アンテナ２０、および２共振タグ３は、自由空間における電磁波信号の波長に比べて極めて小さく、また。これらはいずれもコイル（あるいはループ）を含んでいるので、２共振タグ３が送信機１および受信機２の間の所定の領域内に存在するときに、それらは電気的に結合した状態になる。
【００２５】
本実施の形態の物体識別装置においては、送信機１で、たとえば、７ＭＨｚから９ＭＨｚの範囲で、１００Ｈｚの周期でＦＭ変調された信号を合成し、その信号を送信用アンテナ１０から電磁波として送信する。この送信用アンテナ１０から送信された電磁波を受信用アンテナ２０で受信し、この受信信号について、受信機２で所定の信号処理と演算が行なわれる。送信機１と受信機２との間の所定の領域内に２共振タグ３を取付けた物体が存在すると、受信機２において、２共振タグ３の共振回路の２つの共振周波数での共振が検知され、当該物体が識別される。
【００２６】
送信機１は、図２にその詳細なブロック図を示すように、発振器１１、電圧制御波発振器１２、増幅器１３を含んでいる。発振器１１では、たとえば１００Ｈｚの正弦波信号を発生する。電圧制御波発振器１２では、たとえば８ＭＨｚを中心として±１０％程度のＦＭ変調を、発振器１１からの正弦波信号を用いて合成する。合成されたＦＭ変調信号は、増幅器１３を経て、送信用アンテナ１０に送られる。
【００２７】
図３には、受信機２の詳細なブロック図を示している。送信用アンテナ１０から送信された電磁波信号は、受信用アンテナ２０で受信されて、ＲＦバンドパスフィルタ２１を通って増幅器２２に入る。この増幅器２２の出力は、検波器２３に送られ、さらにローパスフィルタ２４およびハイパスフィルタ２５を通過する。ローパスフィルタ２４では、搬送波成分と高周波ノイズが除去される。ローパスフィルタ２４を通過した信号は、さらにハイパスフィルタ２５を経ることにより、信号スペクトル内の高周波成分のみが通過する。ハイパスフィルタ２５を通過した信号は、増幅器２６を経てタグ信号識別手段２７に送られる。
【００２８】
増幅器２６を経てタグ信号識別手段２７に送られる信号は、本実施の形態のように２共振タグ３を用いた場合には、図７（ｂ）に示す波形を有する。すなわち、従来例のように１つの共振点のみを有する共振回路を含む共振回路を用いた場合には、図７（ａ）に示す信号波形のように、９ＭＨｚから７ＭＨｚおよびその逆の７ＭＨｚから９ＭＨｚのそれぞれの周波数掃引の間に１回ずつしか共振信号が現れないが、２共振タグ３を用いた本実施の形態では、図７（ｂ）に示すように、９ＭＨｚから７ＭＨｚおよびその逆の７ＭＨｚから９ＭＨｚのそれぞれの周波数掃引の間に、２回ずつ共振信号が現れている。
【００２９】
次に、本実施の形態において用いられる２共振タグ３の詳細について、図４ないし図６を参照して説明する。２共振タグ３は、図４（ａ）に示すように、２つの共振回路３ａ，３ｂを含んでいる。これらの共振回路３ａ，３ｂは、たとえば、その一方の共振回路３ａが８．２ＭＨｚ、他方の共振回路３ｂが７．５ＭＨｚの電磁波信号に共振するように調整されている。
【００３０】
共振回路３ａ，３ｂのそれぞれは、図４（ａ）（ｂ）に示すように、薄いプラスチック層からなる基板３１の表面に、平らな螺旋状導電体３２、この螺旋状導電体３２の内側の位置の、基板３１の表裏に形成された導電体板３３，３４、および、螺旋状導電体３２の外側（図中では下側）の位置の、基板３１の表裏に形成された導電体板３５，３６が形成されている。図５（ａ）（ｂ）はそれぞれ、図４（ａ）（ｂ）に示したＶａ−Ｖａ線断面およびＶｂ−Ｖｂ線断面を示している。
【００３１】
図６には２共振タグ３の共振回路の等価回路が示されており、螺旋状導電体３２が図６の誘導子Ｌ１  ，Ｌ２  に、導電体板３３，３４で構成されるコンデンサが図６のコンデンサＣ１  ，Ｃ２  に、導電体板３５，３６で構成されるコンデンサが図６のコンデンサＣ３  ，Ｃ４  にそれぞれ対応する。
【００３２】
次に、図８に示したタイムチャート図により、本実施の形態の物体識別装置のタグ信号識別手段２７における信号処理について説明する。図８のタイムチャートの上段の（ａ）には、図７（ｂ）に示した信号波形に対応する波形を、（ｂ）には、送信機１の電圧制御発振器１２で発信される周波数掃引信号を示しており、いずれも横軸は時間軸である。（ａ）の信号は、ローパスフィルタ２４で搬送波成分および高周波ノイズが除去され、ハイパスフィルタ２５で信号スペクトルの高周波成分のみが通過した後に、増幅器２６により増幅されてタグ信号識別手段２７に入力される信号の波形であり、２共振タグ３の２つの共振点ｆ１，ｆ２（ｆｍｉｎ  ＜ｆ１，ｆ２＜ｆｍａｘ  ）の近傍で、２共振タグ３が存在するために変動が生じている様子を示している。（ａ）信号は、２共振タグ３が存在するための変動に起因する高周波以外が完全にローパスフィルタ２４およびハイパスフィルタ２５で除去される理想的状態においては、２共振タグ３が物体識別装置の近傍に存在しないときには、グラウンドレベルのフラットな信号になる。
【００３３】
図８に示すタイムチャートの（ｂ）は、送信機１から送信される発信信号の１周期（ｆmax→ｆmin→ｆmax）の周波数掃引を示している。図８の（ｃ）〜（ｆ）はタグ信号識別手段２７での信号処理の前半部分を示しており、そのうち中段の（ｃ）に示す信号は、（ｂ）に示す周波数掃引においてｆmax からｆmin に至る間にＰ（正）、ｆmin からｆmax に至る間にＮ（逆）の反転信号を与える。信号（ｄ）は、（ａ）の信号の正のしきい値ｔｈ２によるコンパレータ出力、信号（ｅ）は、（ａ）の信号の負のしきい値ｔｈ１によるコンパレータ出力である。また、図８のタイムチャートの（ｆ）には、（ｃ）〜（ｅ）の出力信号に基づいて、所定の重み付を施して出力されたデコード値である。
【００３４】
図８のタイムチャートの（ｆ）のデコード値の出力と、信号（ｃ）〜（ｅ）との相関は、次のとおりである。まず、信号（ｃ）がＰ（正）のとき、信号（ｄ）および（ｅ）がともにゼロであれば、「０」のデコード値が出力される。信号（ｃ）がＰ（正）で信号（ａ）がしきい値ｔｈ２を越えた状態、すなわち信号（ｄ）が正で信号（ｅ）がゼロの状態においては、重み付けされたデコード値「２」が出力される。また、信号（ｃ）がＰ（正）で信号（ａ）がしきい値ｔｈ１越えた状態、すなわち信号（ｄ）がゼロで信号（ｅ）が正の状態においては、デコード値「１」が出力される。
【００３５】
信号（ｃ）がＮ（逆）のときには、信号（ｄ）および（ｅ）がともにゼロであればデコード値が「４」、信号（ａ）がしきい値ｔｈ２を越えた状態、すなわち、信号（ｄ）がパルス状矩形波の正の出力状態で信号（ｅ）がゼロの状態においては、重み付けされたデコード値が「６」、しきい値ｔｈ１を越えた状態、すなわち信号（ｄ）がゼロで信号（ｅ）がパルス状矩形波の正の出力状態においては、デコード値「５」が出力される。すなわち、信号（ｃ）がＮ（逆）のときのデコード値は、しきい値ｔｈ１，ｔｈ２に対して信号（ｃ）がＰ（正）のときの（ａ）の信号波形が同様の状態にあるときのデコード値に「４」を加えた数値になっている。
【００３６】
このようにして、２共振タグ３を取付けた物体が送信機１および受信機２の間の領域の近傍を通過すると、図８の下段（ｆ）に示す数値が、送信機１から送信される電磁波の周波数がｆｍａｘ  →ｆｍｉｎ  →ｆｍａｘ  と掃引される間を１周期として時系列的に繰り返しデコードされる。この一連のデコード値がこの順に出力されたと判断されたときにのみ、タグ信号識別手段２７において、図９の状態図に示す状態変化により、２共振タグ３の通過が検出される。
【００３７】
次に、図９の状態図における信号処理について説明する。図９の状態図のＳ０〜Ｓ１５は、図８の下段（ｆ）の下に示す対応関係で、それぞれのデコード値を識別する。まず、信号が入力されない状態が一定時間続けば、Ｓ０にリセットされるようになっており、コンパレータ２およびｔｈ２による入力信号が「０」、すなわちノイズレベルであると判断されれば、Ｓ０に止まっている。入力信号が「２」、すなわち、「２」と重み付けされたコンパレータの出力があれば、Ｓ０から次のＳ１に移る。
【００３８】
Ｓ１での信号識別動作は、次のとおりである。入力信号が「１」のとき、すなわち「１」と重み付けされたコンパレータ１およびｔｈ１による出力があるときには、Ｓ１からＳ２に移る。入力信号が「１」以外の場合で、コンパレータ１およびｔｈ１による出力がない場合、すなわちノイズレベルであると判断されるかＰ／Ｎ判別がＰであるときには、Ｓ１に止まっている。Ｐ／Ｎ判別がＮならば、Ｓ０に戻る。
【００３９】
以下、Ｓ２〜Ｓ１５で順次同様の信号判別動作が行われ、Ｓ１５まで進めば、タグ信号が検出されたものと判断される。なお、Ｓ３およびＳ１１では、２共振タグ３の２つの共振点のほぼ中間において、図８（ａ）の信号波形が窪んで０になるという特徴を抽出するために、その特徴に起因して出力されるデコード値「０」および「４」をそれぞれ判別している。本実施の形態においては、Ｓ３およびＳ１１以外においては、デコード値が「０」および「４」の状態の判別を省略しているが、これらのデコード値の状態を判別する状態をさらに加えることにより、判別動作の精度を高めることができる。Ｓ７およびＳ１５においては、図８のタイムチャートにおける信号（ｃ）がＰ（正）からＮ（逆）への反転およびＮ（逆）からＰ（正）への反転をそれぞれ識別している。
【００４０】
図９の状態図に示された判別動作は、ゲートアレーによって実現可能である。２共振タグ３の通過の検出は、図９に示した状態図以外にも種々の方法を採用しうるが、ゲートアレーを用いれば、プログラムを変更することにより判別制御を容易にかつ安価に他の方法に置き換えることができる。
【００４１】
上記実施の形態では、１周期分のデコード値に基づく検出動作について説明したが、１周期分のデコード値に基づく検出のみでは、その周期内においてデコード値に１つでもエラーが生じた場合に、２共振タグ３の通過が検出されなくなるという不都合を回避するため、所定の複数周期程度の所定期間の状態変化に基づいて検出動作を行ない、そのうち、たとえば７０％以上の周期について２共振タグ３の通過に対応するデコード値が出力されたときにはじめて、２共振タグ３が通過したと判断するように設定することができる。このような検出方法により、仮に残りの３０％の周期においてデコード値にエラーが生じたときでも、２共振タグ３の通過を見逃すことがないという利点がある。通常、商品等の物体を持った人が、本実施の形態における物体識別装置の送信機１と受信機２との間の検出動作可能領域を通過するのに、少なくとも０．１秒以上はかかるため、周波数掃引が１００Ｈｚで行なわれる場合、１回の２共振タグ３が通過する時間内に、１０周期以上のデコード値が出力される。この場合、たとえば１０回中７回以上について２共振タグ３の通過に対応するデコード値が出力されたときにはじめて、２共振タグ３が通過したと判断するように設定することが可能である。
【００４２】
以上説明したように、本実施の形態の物体識別装置によれば、２共振タグ３を用いることによって、物体を識別する際のノイズの影響を抑制することができるため、信号処理のためのしきい値を相対的に低く設定しても一定の信頼性を維持することが可能である。その結果、物体識別装置の検出感度を向上することができる。
【００４３】
また、ｆｍａｘ  →ｆｍｉｎ  →ｆｍａｘ  を１周期として掃引される周波数変調、すなわち１つの連続する周波数帯域の周波数掃引を用いて物体の識別を行なっていることも、本実施の形態の特徴の一つである。それぞれ離散的に大きく異なる共振周波数を有する複数の共振タグを識別すべき移動体に取付け、それらの共振周波数に対応する複数種の所定周波数の電波を発信して、当該複数の共振タグの存在を検出する移動体識別装置が、特開平２−１９８３８２号公報に開示されている。しかしながら、この従来の装置は、複数の共振タグにより検知される共振の組合せによって、複数種の移動物体を個別に識別するために複数の共振タグを用いている点で本実施の形態の２共振タグを用いることと目的を異にしており、また、複数種の離散的な周波数の電波を発信するために複数の発振器を必要とする点でも、本実施の形態の装置と相違している。
【００４４】
本実施の形態の物体識別装置のように、１つの連続する周波数帯域の周波数掃引を用いて物体の識別を行なうことにより、種々の通信分野等で用いられている周波数帯域を避けて、ノイズ等の影響が少ない好ましい周波数帯域を容易に選択することができるという、特開平２−１９８３８２号公報に開示された装置では得られない特有の利点がある。
【００４５】
なお、上記実施の形態においては、識別すべき物体に取付ける共振回路として、２共振タグ３を用いたが、受信機２における信号処理のための分解が可能な範囲で、発振器１の掃引周波数帯域内の３点以上の周波数において共振する共振タグを用いることも可能である。共振タグの共振点が多いほど、同一共振点を有する他の物体の存在に起因する誤動作が生じる確率が小さくなるため、ノイズの影響をさらに抑制することができる。
【００４６】
また、本発明の範囲は、上記実施の形態の開示内容に制限されるものではなく、特許請求の範囲の記載に均等の範囲内のすべての変更が含まれる。
【図面の簡単な説明】
【図１】本発明の一実施の形態の物体識別装置の構成の概要を示す図である。
【図２】図１に示した装置の送信機１の詳細構成を示すブロック図である。
【図３】図１に示した装置の受信機２の詳細構成を示すブロック図である。
【図４】（ａ）は、本発明の一実施の形態において用いられる２共振タグ３の表面の詳細を示す図、（ｂ）は、同２共振タグ３の裏面の詳細を示す図である。
【図５】（ａ）は図４（ａ）（ｂ）に示した２共振タグ３のＶａ−Ｖａ線断面を示す図、（ｂ）は図４（ａ）（ｂ）に示した２共振タグ３のＶｂ−Ｖｂ線断面を示す図である。
【図６】図４および図５に示した２共振タグ３の等価回路図である。
【図７】（ａ）は、従来例のように１つの共振点のみを有する共振回路を含む共振回路を用いた場合の、増幅器を経てタグ信号識別手段に送られる信号の信号波形、（ｂ）は、本発明の一実施の形態において２共振タグ３を用いた場合の、増幅器２６を経てタグ信号識別手段２７に送られる信号の信号波形を示す図である。
【図８】本発明の一実施の形態の物体識別装置のタグ信号識別手段２７における信号処理の方法を説明するためのタイムチャート図である。
【図９】本発明の一実施の形態の物体識別装置のタグ信号識別手段２７において、図８に示した信号処理の結果として得られたデコード値に基づいて、識別対象となる物体の通過を検出したと判断する状態図である。
【図１０】（ａ）は特開平７−２４９１８１号公報に記載の従来の物体識別装置の概要を示す図、（ｂ）は（ａ）に示した送信部５１の詳細ブロック図、（ｃ）は（ａ）に示した受信部６１の詳細ブロック図である。
【図１１】（ａ）は、図１０に示した特開平７−２４９１８１号公報に記載の従来の物体識別装置において用いられる単共振タグの共振回路の等価回路図、（ｂ）は、同装置の信号取込みタイミング図である。
【図１２】図１０に示した特開平７−２４９１８１号公報に記載の従来の物体識別装置における信号処理の方法を説明するためのタイムチャート図である。
【符号の説明】
１  送信機
２  受信機
３  ２共振タグ
３ａ，３ｂ  共振回路
１０  送信用アンテナ
２０  受信用アンテナ
２７  タグ信号識別手段
２８  警報器
３１  基板
３２  螺旋状導電体
３３，３４，３５，３６  導電体板
【図１】
0003629342.tif 000002
【図２】
0003629342.tif 000003
【図３】
0003629342.tif 000004
【図４】
0003629342.tif 000005
【図５】
0003629342.tif 000006
【図６】
0003629342.tif 000007
【図７】
0003629342.tif 000008
【図８】
0003629342.tif 000009
【図９】
0003629342.tif 000010
【図１０】
0003629342.tif 000011
【図１１】
0003629342.tif 000012
【図１２】
0003629342.tif 000013